(57)【特許請求の範囲】
【請求項１】
摘み筒２の上端内周部から内筒３を起立して、該内筒に割溝を縦設すると共に、摘み筒底壁５中央部上面から内筒３下部内へ押上げ棒６を起立し、更に摘み筒上方後部に透孔９を穿設した回動筒１と、
上記内筒３外面へ回動自在に嵌合させた外筒１２内面に螺旋溝１３を形成した把持筒１１と、
上記内筒３下部内面へ上下動自在に嵌合させた昇降筒１５の下端部を、摘み筒２上部内面へ上下動自在に嵌合させると共に、昇降筒１５上部外面から係合ピン１６を突設して、該係合ピンを上記割溝下端より上方割溝部分へ挿通させ、かつその先端部を螺旋溝１３へ摺動自在に係合させた棒状化粧品保持筒１４と、
上記昇降筒１５下部内面へ周壁２０を上下動自在に、かつ回動不能に嵌合させ、かつ周壁２０上端を閉塞する頂壁２１下面中央部を、上記押上げ棒６上端へ近接させた筒状の可動底壁１９と、
上記摘み筒２に形成した透孔９へ挿通させたストッパピン２３前部を上記棒状化粧品保持筒１４下端へ離脱可能に係合させ、かつ透孔９後面から露出するストッパピン２３後部に係合腕２４を付設して、該係合腕を摘み筒２外面へ離脱可能に係合させたストッパ部材２２とを有し、
上記ストッパ部材は、ストッパピン２３前部を棒状化粧品保持筒１４下端へ係合させて、上記係合ピン１６の割溝への挿通位置から割溝下端までの割溝延長部分沿いの棒状化粧品保持筒１４の繰下げ下降を阻止する装着位置と、ストッパピン２３前部を棒状化粧品保持筒下端から後方へ離脱させることで棒状化粧品保持筒の割溝延長部分沿いの繰下げ下降を可能にして、押上げ棒６による可動底壁１９の相対押上げを可能にする非装着位置とを有する、ことを特徴とする棒状化粧品繰出し容器。
【発明の詳細な説明】
【０００１】
【発明の属する技術分野】
本発明は口紅等の棒状化粧品の繰出し容器に関する。
【０００２】
【従来の技術】
例えば、実開昭６３−９５５１８号等が示すように、下部が形成する摘み筒部を除く上方筒部分を収納筒部となし、該収納筒部に複数の割溝を縦設する主筒と、収納筒部外面へ回動可能に嵌合された、内面に複数条の螺溝を有する螺筒と、収納筒部内面に上下動可能に嵌合され、かつ外面から突出した係合ピンを割溝に上下動自在に挿通させて該ピン先端を螺溝内に係合させた棒状化粧品保持筒とからなる棒状化粧品繰出し容器が知られている。
【０００３】
【発明が解決しようとする課題】
棒状化粧品が使用により減少してその高さが棒状化粧品保持筒の上面よりも低下すると、棒状化粧品の塗布が困難となり、全部を使い切る前に廃棄しなければならなかった。
【０００４】
請求項１記載の発明に係る棒状化粧品繰出し容器は、棒状化粧品保持筒の可動底壁を上昇可能に形成して、棒状化粧品減少時に、可動底壁を押上げ棒で下降不能に固定させることにより、棒状化粧品保持筒だけを下降させて可動底壁を相対的に上昇させることにより、棒状化粧品を余すことなく使用可能にしようとするものである。
【０００５】
【課題を解決するための手段】
第１の手段として、摘み筒２の上端内周部から内筒３を起立して、該内筒に割溝を縦設すると共に、摘み筒底壁５中央部上面から内筒３下部内へ押上げ棒６を起立し、更に摘み筒上方後部に透孔９を穿設した回動筒１と、上記内筒３外面へ回動自在に嵌合させた外筒１２内面に螺旋溝１３を形成した把持筒１１と、
上記内筒３下部内面へ上下動自在に嵌合させた昇降筒１５の下端部を、摘み筒２上部内面へ上下動自在に嵌合させると共に、昇降筒１５上部外面から係合ピン１６を突設して、該係合ピンを上記割溝下端より上方割溝部分へ挿通させ、かつその先端部を螺旋溝１３へ摺動自在に係合させた棒状化粧品保持筒１４と、
上記昇降筒１５下部内面へ周壁２０を上下動自在に、かつ回動不能に嵌合させ、かつ周壁２０上端を閉塞する頂壁２１下面中央部を、上記押上げ棒６上端へ近接させた筒状の可動底壁１９と、
上記摘み筒２に形成した透孔９へ挿通させたストッパピン２３前部を上記棒状化粧品保持筒１４下端へ離脱可能に係合させ、かつ透孔９後面から露出するストッパピン２３後部に係合腕２４を付設して、該係合腕を摘み筒２外面へ離脱可能に係合させたストッパ部材２２とを有し、
上記ストッパ部材は、ストッパピン２３前部を棒状化粧品保持筒１４下端へ係合させて、上記係合ピン１６の割溝への挿通位置から割溝下端までの割溝延長部分沿いの棒状化粧品保持筒１４の繰下げ下降を阻止する装着位置と、ストッパピン２３前部を棒状化粧品保持筒下端から後方へ離脱させることで棒状化粧品保持筒の割溝延長部分沿いの繰下げ下降を可能にして、押上げ棒６による可動底壁１９の相対押上げを可能にする非装着位置とを有する。
【０００６】
【発明の実施の形態】
以下、本発明に係る棒状化粧品繰出し容器の実施形態を図面を参照しながら説明する。
図１において、１は回動筒で、摘み筒２の上端内周部から内筒３を起立して、該内筒の左右両部の上下方向中間部に第１の縦割溝４ａを縦設し、図２に明示するように、その上端部を周方向へ屈曲して第１の横割溝４ｂに形成すると共に、その下端部を周方向へ第１の横割溝４ｂと反対方向に屈曲して第２の横割溝４ｃに形成し、かつこの第２の横割溝先端から第２の縦割溝４ｄを縦設する。
【０００７】
一方、摘み筒底壁５中央部上面から内筒３下端部内へ押上げ棒６を起立する。さらに、摘み筒２上部外面に嵌合溝８を周設すると共に、摘み筒２の上方後部に穿設した径方向への透孔９後面を嵌合溝８前面に開口させる。
なお、１０は内筒３上端部外面に周設した第１突条である。
【０００８】
１１は把持筒で、内筒３外面へ外筒１２を回動自在に嵌合させて、その下端を摘み筒２上端の外周部上面へ回動自在に載置させると共に、その内面に２条の螺旋溝１３を形成して、各螺旋溝下端を第２の縦割溝４ｄ下端に、かつ各螺旋溝上端を第１の横割溝４ｂ先端に、それぞれ開口させ、さらに外筒１２上端内周部を第１突条１０下面へ回動可能に係合させる。
【０００９】
１４は棒状化粧品保持筒で、内筒３下部内面へ上下動自在に嵌合させた昇降筒１５の下端部を、摘み筒２上端部内面へ上下動自在に嵌合させると共に、昇降筒１５の左右両部の上端部外面から係合ピン１６を突設して、各係合ピンを第２の横割溝４ｃへ上下動自在に挿通させ、かつその先端部を螺旋溝１３へ摺動自在に係合させる。
さらに、昇降筒１５内面に複数の係合突条１７を縦設すると共に、昇降筒下端部内面に第２突条１８を周設する。
【００１０】
１９は可動底壁で、昇降筒１５下部内面へ周壁２０を上下動自在に嵌合させて、その下端を第２突条１８上面へ載置させると共に、周壁２０外面に複数の係合凹溝を縦設して、これら係合凹溝を係合突条１７へ上下動自在に係合させ、さらに周壁２０上端を閉塞する頂壁２１下面中央部を、押上げ棒６上端へ近接させる。
【００１１】
２２はストッパ部材で、図３にも示すように、摘み筒２に形成した透孔９へ挿通させたストッパピン２３前部を棒状化粧品保持筒１４の第２突条１８下面へ係合させ、かつ透孔９後面から露出するストッパピン２３後面に、後方へ湾曲する半円弧状の係合腕２４の中央部内面を連結して、この係合腕を嵌合溝８後半部へ着脱自在に嵌合させる。
なお、２５はキャップで、把持筒１１を筒内に挿入させて筒下端部を摘み筒２上部外面へ着脱自在に嵌合させると共に、筒下端を嵌合溝８の下面外周部へ載置させる。
【００１２】
次に本実施形態の作用について説明する。
棒状化粧品を繰り出すには、図１に示すキャップ２５の閉栓状態において、把持筒１１からキャップ２５を上方へ離脱させた後、把持筒１１を把持して摘み筒２を開方向へ回動させればよく、すると第２の横割溝４ｃへ挿通させた係合ピン１６が螺旋溝１３に案内されて上昇し、これと共に棒状化粧品保持筒１４が上昇する。
【００１３】
使用後、図示しない棒状化粧品を収納するには、摘み筒２を上記と反対の閉方向へ回動させて棒状化粧品保持筒１４を下降させる。この棒状化粧品保持筒の下降はその後部下端がストッパピン２３へ当接したところで停止する。この時点で係合ピン１６は第２の横割溝４ｃに位置し、かつ棒状化粧品は内筒３内に完全に収納される。
使用により棒状化粧品の量が減少して塗布が困難になった場合には、ストッパ部材２２を摘み筒２から取り外すことによりストッパピン２３を第２突条１８から離脱させればよく、これにより棒状化粧品保持筒１４の更なる下降が可能になる。
【００１４】
この状態において摘み筒２を閉方向に回動させると、棒状化粧品保持筒１４が繰下り、これと共に可動底壁１９も下降するが、この可動底壁の下降はその下面が押上げ棒６上端へ当接することによりすぐに停止する。このため棒状化粧品保持筒１４のみが下降し、図４に示すように、可動底壁１９が相対的に上昇する。この可動底壁の相対的な上昇により棒状化粧品保持筒１４へ嵌合させた図示しない棒状化粧品が押し上げられる。
【００１５】
【発明の効果】
請求項１記載の発明に係る棒状化粧品繰出し容器は、棒状化粧品保持筒の可動底壁を上下動可能に形成し、かつ棒状化粧品保持筒をその繰下げ下限よりもさらに繰下げ可能に形成すると共に、可動底壁を押上げ棒上端へ当接可能にし、さらに所望時以外は棒状化粧品保持筒の繰下げ下限よりも下方への繰下げを不能にするストッパ部材を設けたので、棒状化粧品減少時に、ストッパ部材を摘み筒から取り外して棒状化粧品保持筒をその繰下げ下限よりも繰り下げて、可動底壁を押上げ棒上端へ当接させて下降不能に固定させることにより、棒状化粧品保持筒だけを下降させて可動底壁を相対的に上昇させることができ、このため棒状化粧品を棒状化粧品保持筒底部に余すことなくそのすべてを使用することが可能になる。
【図面の簡単な説明】
【図１】本発明に係る棒状化粧品繰出し容器を示すもので、棒状化粧品保持筒が繰下げ下限に位置する断面図。
【図２】同じく、割溝の正面図。
【図３】同じく、ストッパ部材の斜視図。
【図４】同じく、可動底壁が相対的に押し上げられた状態を示す作用説明図。
【符号の説明】
１  回動筒
２  摘み筒
３  内筒
５  摘み筒底壁
６  押上げ棒
９  透孔
１１  把持筒
１３  螺旋溝
１４  棒状化粧品保持筒
１５  昇降筒
１６  係合ピン
１９  可動底壁
２０  周壁
２１  頂壁
２２  ストッパ部材
２３  ストッパピン
２４  係合腕
【図１】
0003808217.tif 000002
【図２】
0003808217.tif 000003
【図３】
0003808217.tif 000004
【図４】
0003808217.tif 000005